(57)【要約】【課題】ビルバリ用正面開口部およびビルバリ用収容部の上下方向の寸法を最小限に設定でき、高機能化を図る【解決手段】ビルバリ用収容部３６の底壁４４または上壁を構成する天板１４０６の少なくとも一方に、背面側端部５８Ｂをビルバリ用収容部３６の下方または上方に突出させ、ビルバリユニット１６の傾斜状態を許容する傾斜用開口部７２が設けられている。傾斜用開口部７２は、ビルバリ用正面開口部５０からビルバリユニット１６の正面側端部５８Ａが筐体１２の外部に突出した状態で、正面側端部５８Ａが背面側端部５８Ｂよりも高くなるビルバリユニット１６の傾斜状態を形成する。【選択図】図１１
2018042874.tif 000002
【特許請求の範囲】
【請求項１】
遊技機に併設される遊技媒体貸出機であって、
遊技者が投入する貨幣を識別するビルバリユニットが収容されるビルバリ用収容部と、前記ビルバリ用収容部に対して前記ビルバリユニットを挿脱するビルバリ用正面開口部とが設けられた筐体を備え、
前記筐体は、前記ビルバリ用収容部の底部を構成する底壁と、前記ビルバリ用収容部の上部を構成する上壁とを有し、
前記ビルバリユニットは貨幣投入口が設けられた正面側端部とその反対に位置する背面側端部とを有し、
前記底壁または前記上壁の少なくとも一方に、前記背面側端部を前記ビルバリ用収容部の下方または上方に突出させ、前記正面側端部が前記背面側端部よりも高くまたは低くなる前記ビルバリユニットの傾斜状態を許容する傾斜用開口部が設けられている、
ことを特徴とする遊技媒体貸出機。
【請求項２】
前記ビルバリ用正面開口部から離れた前記傾斜用開口部の端部の箇所に、前記ビルバリ用正面開口部に近づくにつれて前記ビルバリ用収容部の下方または上方へ離れる傾斜の傾斜壁が設けられている、
ことを特徴とする請求項１記載の遊技媒体貸出機。
【請求項３】
前記ビルバリ用正面開口部を開閉するビルバリ用扉がその上端または下端を支点として揺動可能に設けられ、
前記傾斜用開口部は、前記支点が前記ビルバリ用扉の上端に位置する場合には前記上壁に設けられ、前記支点が前記ビルバリ用扉の下端に位置する場合には前記底壁に設けられている、
ことを特徴とする請求項１または２記載の遊技媒体貸出機。
【請求項４】
前記ビルバリ用収容部の上部を構成する上壁は前記筐体の天板であり、
前記傾斜用開口部は、前記底壁に設けられ、
平面視した場合、前記傾斜用開口部の開口範囲内に位置する前記天板の箇所に、前記筐体を遊技島の支持フレームに取り付けるねじ挿通孔を有する取り付け片が位置している、
ことを特徴とする請求項１〜３の何れか１項記載の遊技媒体貸出機。
【発明の詳細な説明】
【技術分野】
【０００１】
本発明は、遊技機に併設される遊技媒体貸出機に関する。
【背景技術】
【０００２】
従来、遊技店には、スロットマシンのような遊技機が複数並べて配置されている。
そして、各遊技機に隣接してメダル（遊技媒体）の払い出しを行なう遊技媒体貸出機が併設されている。
遊技媒体貸出機は、筐体を備え、遊技者が貨幣を筐体内部のビルバリユニットの貨幣投入口に投入することで、あるいは、所定のカード媒体をカード挿入口に挿入することで、筐体内部の払い出しホッパによりメダルの払い出しを行なう。
ビルバリユニットは、貨幣の識別と貨幣の貯留を行なうものであり、筐体には、ビルバリ用正面開口部からビルバリユニットが収容されるビルバリ用収容部が設けられている。
【先行技術文献】
【特許文献】
【０００３】
【特許文献１】特開２０１６−１９５６１号公報
【発明の概要】
【発明が解決しようとする課題】
【０００４】
ところで、近年、遊技媒体貸出機の多機能化が進んでおり、筐体内部に様々な装置を収容する必要性が高まっている。
このような近年の様々な装置として、例えば、顔認識あるいはバーコード認識を行なうカメラや、遊技者が所持する携帯端末と近距離無線通信を行なう通信装置などが挙げられる。
しかしながら、筐体内部に近年の様々な装置を組み込もうとすると、筐体の上下の寸法は定められているため問題が生ずる。
本発明は、上記のビルバリユニット開口部およびビルバリ用収容部に着目して案出されたものであり、本発明の目的は、ビルバリ用正面開口部およびビルバリ用収容部の上下方向の寸法を最小限に設定でき、筐体内部に様々な装置を収容し高機能化を図る上で有利な遊技媒体貸出機を提供することにある。
【課題を解決するための手段】
【０００５】
上記目的を達成するために、請求項１記載の発明は、遊技機に併設される遊技媒体貸出機であって、遊技者が投入する貨幣を識別するビルバリユニットが収容されるビルバリ用収容部と、前記ビルバリ用収容部に対して前記ビルバリユニットを挿脱するビルバリ用正面開口部とが設けられた筐体を備え、前記筐体は、前記ビルバリ用収容部の底部を構成する底壁と、前記ビルバリ用収容部の上部を構成する上壁とを有し、前記ビルバリユニットは貨幣投入口が設けられた正面側端部とその反対に位置する背面側端部とを有し、前記底壁または前記上壁の少なくとも一方に、前記背面側端部を前記ビルバリ用収容部の下方または上方に突出させ、前記正面側端部が前記背面側端部よりも高くまたは低くなる前記ビルバリユニットの傾斜状態を許容する傾斜用開口部が設けられていることを特徴とする。
請求項２記載の発明は、前記ビルバリ用正面開口部から離れた前記傾斜用開口部の端部の箇所に、前記ビルバリ用正面開口部に近づくにつれて前記ビルバリ用収容部の下方または上方へ離れる傾斜の傾斜壁が設けられていることを特徴とする。
請求項３記載の発明は、前記ビルバリ用正面開口部を開閉するビルバリ用扉がその上端または下端を支点として揺動可能に設けられ、前記傾斜用開口部は、前記支点が前記ビルバリ用扉の上端に位置する場合には前記上壁に設けられ、前記支点が前記ビルバリ用扉の下端に位置する場合には前記底壁に設けられていることを特徴とする。
請求項４記載の発明は、前記ビルバリ用収容部の上部を構成する上壁は前記筐体の天板であり、前記傾斜用開口部は、前記底壁に設けられ、平面視した場合、前記傾斜用開口部の開口範囲内に位置する前記天板の箇所に、前記筐体を遊技島の支持フレームに取り付けるねじ挿通孔を有する取り付け片が位置していることを特徴とする。
【発明の効果】
【０００６】
請求項１記載の発明によれば、ビルバリ用収容部の底壁または上壁に、ビルバリユニットの背面側端部をビルバリ用収容部の下方または上方に突出させ、ビルバリユニットの傾斜状態を許容する傾斜用開口部を設けた。
したがって、ビルバリユニットをビルバリ用収容部に挿脱する際に、傾斜用開口部を介してビルバリユニットの傾斜状態を許容することによって、ビルバリ用正面開口部およびビルバリ用収容部の上下方向の寸法がビルバリユニットの上下方向の寸法に対して余裕が無い場合であっても、ビルバリユニットをビルバリ用正面開口部からビルバリ用収容部に簡単に挿脱することができる。
そのため、ビルバリ用正面開口部およびビルバリ用収容部の上下方向の寸法を最小限に設定できる。
したがって、限られた筐体の上下方向の寸法内において、ビルバリユニット以外の様々な装置の収容スペース、配置スペースを大きく確保でき、筐体内部に様々な装置を収容し遊技媒体貸出機の高機能化を図る上で有利となる。
請求項２記載の発明によれば、ビルバリユニットをビルバリ用収容部に押し込んで収容する場合、いったん傾斜用開口部からビルバリユニットの背面側端部が下方または上方に突出した状態となっても、背面側端部が傾斜壁によって案内されるため、ビルバリユニットをビルバリ用収容部に収容する作業を円滑に行なう上で有利となる。
請求項３記載の発明によれば、ビルバリ用扉の背面に突起物が形成されている場合であっても、傾斜用開口部を介してビルバリユニットの傾斜状態を許容することで、ビルバリユニットと突起物との干渉を確実に防ぐことができる。したがって、ビルバリ用正面開口部およびビルバリ用収容部の上下方向の寸法を最小限に設定し、ビルバリユニットのビルバリ用収容部への収容作業、ビルバリ用収容部からの取り出し作業を円滑に行なう上で有利となる。
請求項４記載の発明によれば、傾斜用開口部を利用して工具を挿入できるため、筐体を支持フレームに取り付ける作業の効率化を図る上で有利となる。
【図面の簡単な説明】
【０００７】
【図１】（Ａ）は実施の形態に係る遊技媒体貸出機の正面図、（Ｂ）は実施の形態に係る遊技媒体貸出機の側面図である。
【図２】（Ａ）はビルバリ用扉の閉塞状態を示す遊技媒体貸出機の斜視図、（Ｂ）はビルバリ用扉の開放状態を示す遊技媒体貸出機の斜視図である。
【図３】ビルバリ用扉の開放状態を示す遊技媒体貸出機の側面図であり、筐体の側板を省略した状態を示す。
【図４】ビルバリ用扉の開放状態を示す遊技媒体貸出機の正面図である。
【図５】ビルバリ用扉の開放状態を示す遊技媒体貸出機の側面断面図である。
【図６】ビルバリ用扉の開放状態を示す遊技媒体貸出機の平面図であり、筐体の天板とビルバリユニットを省略した状態を示す。
【図７】図６の側面断面図である。
【図８】ビルバリ用扉の筐体に対する取付構造を示す分解斜視図である。
【図９】（Ａ）はビルバリユニットの平面図、（Ｂ）はビルバリユニットの正面図、（Ｃ）はビルバリユニットの側面図である。
【図１０】ビルバリユニットをビルバリ用正面開口部の前方に位置させた状態を示す遊技媒体貸出機の斜視図である。
【図１１】ビルバリユニットの背面端部をビルバリ用正面開口部からビルバリ用収容部に挿入した状態を示す遊技媒体貸出機の斜視図である。
【図１２】ビルバリユニットの背面端部が傾斜壁に当接した状態を示す遊技媒体貸出機の側面断面図である。
【図１３】ビルバリユニットがビルバリ用収容部に収容された状態を示す遊技媒体貸出機の側面断面図である。
【図１４】ビルバリユニットが水平状態のままビルバリ用収容部から前方に引き出された状態を示す遊技媒体貸出機の側面断面図である。
【図１５】ビルバリユニットの背面端部が傾斜用開口部の開口範囲内に入りビルバリユニットの傾斜状態が許容された状態を示す遊技媒体貸出機の側面断面図である。
【図１６】傾斜状態とされたビルバリユニットがビルバリ用収容部からさらに引き出された状態を示す遊技媒体貸出機の側面断面図である。
【発明を実施するための形態】
【０００８】
以下、本発明の実施の形態について添付図面を参照して説明する。
図１（Ａ）、（Ｂ）に示すように、遊技媒体貸出機１０は、遊技媒体を用いて遊技を行なう遊技機、例えば、スロットマシン等に併設される装置である。本実施の形態では、遊技媒体としてメダルを用いる場合について説明する。なお、遊技媒体は、メダルのような円板状の遊技媒体に限定されず、矩形板状、あるいは、多角形板状など、従来公知の様々な形状の遊技媒体が使用可能である。また、遊技機がパチンコ機の場合、遊技媒体はパチンコ玉である。
遊技媒体貸出機１０は、筐体１２と、筐体本体１４と、ビルバリユニット１６と、制御部１８と、払い出しホッパ２０と、ノズルシュート２２と、ノズル２４と、計数遊技媒体受け皿２６と、受け皿用蓋２８と、計数ホッパ２１とを含んで構成されている。
【０００９】
筐体本体１４は、縦長直方体形状を呈し、底板１４０２と、底板１４０２の両側から起立する一対の側板１４０４と、側板１４０４の上端を接続する天板１４０６とを含んで中空状に構成されている。
筐体本体１４の内部には、上から順番にビルバリ用収容部３６、制御部収容部３８、払い出しホッパ収容部４０、計数ホッパ収容部４２が設けられている。
【００１０】
図１（Ａ）、（Ｂ）に示すように、筐体本体１４の正面側の開口である正面開口部１４１０からビルバリ用収容部３６、制御部収容部３８、払い出しホッパ収容部４０、計数ホッパ収容部４２に、ビルバリユニット１６、制御部１８、払い出しホッパ２０、計数ホッパ２１が収納されている。
筐体本体１４の正面開口部１４１０は複数の正面板で閉塞され、複数の正面板は、ビルバリ用扉４８、制御部側正面板１８Ａ、補給扉３０、下部正面板３２を含んで構成されている。
背面側の開口である背面開口部は複数の背面板で閉塞され、これにより筐体１２が構成される。
【００１１】
制御部１８は、遊技媒体貸出機１０の各種制御を行なうものである。
制御部１８は、正面開口部１４１０のうち制御部１８の正面側は制御部１８と一体に形成された制御部側正面板１８Ａで閉塞され、制御部側正面板１８Ａには、カード挿入口１８０２、タッチパネル式モニタ１８０４、カメラ１８０６、近距離無線通信機器１８０８、リモコン受光部１８１０が設けられている。
カード挿入口１８０２には、遊技者を識別する情報又はカード固有の識別情報が記録されたカードが挿入され、制御部１８によってカードの情報の読み取り、書き込みがなされる。
タッチパネル式モニタ１８０４には、払い出したメダル数、獲得したメダル数などの遊技者の遊技状況が制御部１８によって表示される。本実施の形態では、タッチパネル式モニタ１８０４が、遊技者の遊技状況を表示する遊技状況表示部を構成している。
カメラ１８０６は、例えば遊技者の顔認証などを行なうためのものである。
近距離無線通信機器１８０８は、例えば遊技者が所持する携帯通信端末と通信を行ない認証を行なうためのものである。
リモコン受光部１８１０は、例えば遊技店の係員が所持するリモートコントローラから送信される制御部１８を遠隔制御するための光信号を受光するためのものである。
また、図１（Ｂ）に示すように、タッチパネル式モニタ１８０４、カメラ１８０６、近距離無線通信機器１８０８、リモコン受光部１８１０は、制御部側正面板１８Ａの表面から前方に突出している。
【００１２】
ノズルシュート２２は、払い出しホッパ２０から払い出されたメダルを受け入れてノズル２４に導く部分であり、ノズルシュート２２は、下部正面板３２に一体に形成されている。
ノズル２４は、ノズルシュート２２から導かれたメダルを遊技機の下皿（不図示）に導くものであり、ノズルシュート２２に揺動可能に結合されたノズル本体２４０２と、ノズル本体２４０２の先端に設けられたノズルトップ２４０４とを含んで構成される。
【００１３】
正面開口部１４１０の下部には下部正面板３２が着脱可能に取着されており、補給扉３０で閉塞される正面開口部１４１０の部分の下方から正面開口部１４１０の下端までが下部正面板３２で閉塞される。
計数ホッパ２１は、計数遊技媒体受け皿２６に投入されたメダルの枚数を計数するものであり、メダルの計数結果は制御部１８に伝達される。
下部正面板３２は、筐体１２の内部と反対に位置する正面３２０２を有し、この正面３２０２は筐体１２の正面を構成している。
計数遊技媒体受け皿２６は、下部正面板３２の正面３２０２でノズルシュート２２の上に設けられている。
【００１４】
制御部側正面板１８Ａの下方の正面開口部１４１０には、縦長の矩形状を呈する開口部３４が開設されている。開口部３４は、払い出しホッパ２０にメダルを補充する部分であり、開口部３４は、補給扉３０で開閉される。
【００１５】
ビルバリユニット１６が収容されるビルバリ用収容部３６は、図５、図６、図１０に示すように、ビルバリ用収容部３６の底部を構成する底壁４４と、ビルバリ用収容部３６の上部を構成する上壁とを有し、本実施の形態では、ビルバリ用収容部３６が筐体本体１４の内部で最上位に位置していることから、上壁は筐体１２の天板１４０６で構成されている。
図８に示すように、天板１４０６には、ねじ挿通孔４６０２を有する取り付け片４６が複数設けられている。この取り付け片４６は、筐体１２を遊技島の支持フレームに取り付けるために設けられている。
【００１６】
図１（Ｂ）、図２（Ａ）、（Ｂ）に示すように、ビルバリユニット１６は、正面開口部１４１０の一部であるビルバリ用正面開口部５０からビルバリ用収容部３６に挿脱される。
ビルバリ用正面開口部５０は、ビルバリ用扉４８で開閉される。
図３の側面図に示されるように、ビルバリ用扉４８を開放状態にした際には、ビルバリ用扉４８は略水平となる状態まで開くのが一般的である。ビルバリユニット１６の挿脱の作業性を考慮すると、ビルバリ用扉４８は水平状態よりも更に下まで開くことが好ましい。しかしながら、図３に示されるように、ビルバリ用扉４８の下方には制御部１８のカメラ１８０６、近距離無線通信機器１８０８、リモコン受光部１８１０、タッチパネル式モニタ１８０４等の突出部が存在しており、これらとビルバリ用扉４８との干渉を避ける必要がある。また、近年の遊戯媒体貸出機の構成の傾向として、制御部１８における突出部の突出量は増加する傾向があると共に、ビルバリ用扉４８の厚みも意匠上の観点から増す傾向があるために、ビルバリ用扉４８の開き角度は大きくすることは困難な状況となっている。
図４、図６〜図８に示すように、ビルバリ用扉４８は、扉本体４８０２を備え、扉本体４８０２には、扉側貨幣投入口４８０４と、筒状壁部４８０６と、ロック用フック４８０８と、キーシリンダ４８１０とが設けられている。
扉本体４８０２は、矩形板状を呈し、例えば合成樹脂製である。
扉側貨幣投入口４８０４は、その断面が筐体１２の幅方向に延在する細長形状を呈し、扉本体４８０２の上部寄りの箇所に貫通形成されている。
筒状壁部４８０６は、扉側貨幣投入口４８０４の周囲全周を囲むように扉本体４８０２の背面から矩形の筒状に突設されている。
ロック用フック４８０８は、扉本体４８０２の背面に固設されている。ロック用フック４８０８は、図４に示すように、筐体１２側に筐体１２の幅方向に移動可能に設けられたロック用スライド部材５２に係合することでビルバリ用扉４８の閉塞状態をロックし、また、ロック用スライド部材５２との係合が解除されることでビルバリ用扉４８の閉塞状態のロックを解除するものである。ロック用スライド部材５２の移動は後述するキーシリンダ４８１０の揺動フック４８１０Ａの揺動により行なわれ、また、後述するソレノイドの作動により行なわれる。
【００１７】
キーシリンダ４８１０は、キーにより操作されるものであり、扉本体４８０２の上部の右寄りの箇所に設けられ、キーシリンダ４８１０の出力軸には、図４、図６、図１０に示すように、キーシリンダ４８１０により揺動しロック用スライド部材５２を移動させる揺動フック４８１０Ａが設けられている。
また、ロック用スライド部材５２は、ロック用フック４８０８と係合する係合位置と、ロック用フック４８０８と係合しない非係合位置とにスライド可能に設けられている。
ロック用スライド部材５２は、係合位置に常時付勢され、不図示のアクチュエータ、例えば、ソレノイドの作動により係合位置から非係合位置に移動される。
したがって、ビルバリ用扉４８のロック状態の解除は、キーによるキーシリンダ４８１０の操作によってなされると共に、ソレノイドの作動によってもなされる。
また、図４、図８において、符号４８１２は、ビルバリ用扉４８がビルバリ用扉４８がビルバリ用正面開口部５０を閉塞しているか開放しているかを検出するビルバリ用扉センサであり、図１（Ａ）において、符号４８１４は、扉本体４８０２の表面に設けられビルバリユニット１６の動作状態を表示する表示器である。
【００１８】
図６〜図８に示すように、ビルバリ用扉４８の下端は、ヒンジ５４を介してビルバリ用正面開口部５０の下端に対して揺動可能に連結されている。
本実施の形態では、ヒンジ５４はダンパ機能を備えている。すなわち、ヒンジ５４は、ビルバリ用扉４８を開放方向に常時付勢すると共に、ビルバリ用扉４８のロック状態を解除したときに、ビルバリ用扉４８がビルバリ用正面開口部５０を閉塞する閉塞位置からビルバリ用正面開口部５０を開く開放位置までゆっくり移動する機能を備えている。
ヒンジ５４は、ビルバリ用扉４８の背面下部に取着される第１フランジ５４０２と、ビルバリ用正面開口部５０の下端の取り付け片４６に取り付けられる第２フランジ５４０４と、第１、第２フランジ５４０２、５４０４の軸受部に挿通される支軸５４０６とを備え、支軸５４０６はビルバリ用扉４８が揺動する支点を構成している。
本実施の形態では、ビルバリ用扉４８の支点は、ビルバリ用扉４８の下端に位置している。
また、ヒンジ５４の軸受部にビルバリユニット１６が直接ぶつかることを防止するために、ヒンジ５４にはヒンジカバー５６が取着されている。
ヒンジカバー５６は、第２フランジ５４０４に重ねて取着される取り付け片５６０２と、取り付け片５６０２から上方に湾曲してヒンジ５４の軸受部を覆う断面円弧状のカバー部５６０４とを備えており、このカバー部５６０４はビルバリユニット１６がビルバリ用収容部３６から出し入れされる場合にビルバリユニット１６の箇所を円滑に案内するガイドとして機能している。
【００１９】
ビルバリユニット１６は、遊技者が投入する貨幣を識別するものである。
図９に示すように、ビルバリユニット１６は、直方体状のビルバリ本体部５８を備え、ビルバリ本体部５８にガイド部６０、貨幣搬送部６２、識別部６４、貨幣貯留部６６、ビルバリ側コネクタ６８が設けられている。
ビルバリ本体部５８は、長手方向の一端に位置する正面壁５８０２、長手方向の他端に位置する背面壁５８０４、上面壁５８０６、下面壁５８０８、左右の側面壁５８１０を有している。
正面壁５８０２が位置する長手方向の端部が正面側端部５８Ａであり、その反対に位置する長手方向の端部が背面側端部５８Ｂとなっている。
正面壁５８０２の上部にガイド部６０とビルバリ側貨幣投入口５８１２が設けられ、正面壁５８０２の下部に貨幣取り出し口５８１４が開口されている。
ガイド部６０は、貨幣をビルバリ側貨幣投入口５８１２に案内するものである。
ガイド部６０は、底壁６００２と、底壁６００２の両側から起立する一対の側壁６００４とを有している。
ガイド部６０が突設された正面壁５８０２の箇所には、扉側貨幣投入口４８０４を介して貨幣が投入されるビルバリ側貨幣投入口５８１２が設けられ、このビルバリ側貨幣投入口５８１２は、底壁６００２と一対の側壁６００４とで囲まれた空間で形成されている。
【００２０】
貨幣搬送部６２は、ビルバリ側貨幣投入口５８１２に投入された貨幣を貨幣貯留部６６に搬送するものである。
識別部６４は、ビルバリ側貨幣投入口５８１２に投入された貨幣の識別を行なうものである。
貨幣貯留部６６は、ビルバリ本体部５８の下部に設けられ識別部６４で識別された貨幣を貯留するものである。
貨幣貯留部６６は、ビルバリ本体部５８に上下に移動可能に配置され上方に付勢された貨幣載置板６６０２を含んで構成され、貨幣載置板６６０２に貨幣が積み重ねられるにつれて貨幣載置板６６０２は下方に変位し、貨幣載置板６６０２に積み重ねられた貨幣は、貨幣取り出し口５８１４から取り出される。
ビルバリ側コネクタ６８は、ビルバリユニット１６に電力を供給し、また、制御部１８との間で信号の授受を行なうものであり、背面壁５８０４に突設されている。
ビルバリ側コネクタ６８は、図１２に示すように、筐体１２の背面板側に設けられた筐体側コネクタ７０に挿脱される。
【００２１】
ビルバリユニット１６は、図２（Ｂ）に示すように、ビルバリ用扉４８を開き、ビルバリ用正面開口部５０からビルバリ用収容部３６に挿入され、ビルバリ用収容部３６内で、ビルバリ用正面開口部５０に正面側端部５８Ａを位置させ、その反対側に背面側端部５８Ｂを位置させて収容される。
そして、図２（Ａ）に示すように、ビルバリ用扉４８でビルバリ用正面開口部５０を閉塞すると、ビルバリ用扉４８の扉側貨幣投入口４８０４を介してガイド部６０がビルバリ用扉４８の扉本体４８０２から突出する。この状態で、ビルバリ用扉４８の筒状壁部４８０６の内側にガイド部６０が位置すると共に、ビルバリ用扉４８の筒状壁部４８０６の先端全周がビルバリ本体部５８のビルバリ側貨幣投入口５８１２の周囲の正面壁５８０２に隙間なく当接する。
したがって、扉側貨幣投入口４８０４から例えば針金のようなものを挿入したとしても、ガイド部６０の延長上に針金を挿入できるものの、筒状壁部４８０６と正面壁５８０２との間に隙間がないため、針金の先端は筒状壁部４８０６の外側に侵入することができない。
そのため、ビルバリ用収容部３６の内部に針金を入れて、例えば、貨幣貯留部６６の貨幣を不正に抜き取ったり、あるいは、ビルバリユニット１６周辺の電気部品をショートさせたりする不正行為を未然に防止するように図られている。
【００２２】
図５、図６、図１０、図１１に示すように、ビルバリ用収容部３６の底壁４４または上壁を構成する天板１４０６の少なくとも一方に、背面側端部５８Ｂをビルバリ用収容部３６の下方または上方に突出させ、ビルバリユニット１６の傾斜状態を許容する傾斜用開口部７２が設けられている。
本実施の形態では、ビルバリ用扉４８の支点がビルバリ用扉４８の下端に位置しており、この支点の位置に対応して傾斜用開口部７２は底壁４４に設けられている。
図１１、図１２に示すように、傾斜用開口部７２は、ビルバリ用正面開口部５０からビルバリユニット１６の正面側端部５８Ａが筐体１２の外部に突出した状態で、正面側端部５８Ａが背面側端部５８Ｂよりも高くなるビルバリユニット１６の傾斜状態を許容する。
また、ビルバリ用正面開口部５０から離れた傾斜用開口部７２の端部の箇所に、ビルバリ用正面開口部５０に近づくにつれてビルバリ用収容部３６の下方へ離れる傾斜の傾斜壁７４が設けられている。
また、図８に示すように、筐体１２上面の天板１４０６には、傾斜用開口部７２の開口範囲を介してアクセス可能な複数の取り付け片４６を形成してある。各取り付け片４６には、ねじ挿通孔４６０２を開設してある。取り付け片４６のねじ挿通孔４６０２は、平面視した場合、傾斜用開口部７２の開口範囲内に位置していることが好ましい。
そのため、筐体１２を支持フレームに取り付ける際、傾斜用開口部７２の下方からインパクトドライバなどの工具を挿入した状態でねじをねじ挿通孔４６０２に挿通し、ねじにより取り付け片４６を支持フレームに簡単に締結することができる。
【００２３】
次に、ビルバリユニット１６のビルバリ用収容部３６への収容、および、ビルバリ用収容部３６からの取り出しについて説明する。
ビルバリユニット１６をビルバリ用収容部３６に収容する場合は、図１０に示すように、ビルバリ用扉４８を開き、ビルバリユニット１６の背面側端部５８Ｂをビルバリ用正面開口部５０に向ける。
ビルバリ用扉４８を開くと、図５、図１０に示すように、扉本体４８０２は水平に延在するものの、ビルバリ用正面開口部５０から離れた扉本体４８０２の背面にロック用フック４８０８および筒状壁部４８０６が上方に突出している。
そこで、図１１に示すように、ロック用フック４８０８および筒状壁部４８０６に干渉しないように、ビルバリユニット１６の正面側端部５８Ａを背面側端部５８Ｂよりも上位に位置するようにビルバリユニット１６を傾斜させ、ビルバリ用正面開口部５０からビルバリ用収容部３６にビルバリユニット１６を押し込む。
【００２４】
この押し込みによりビルバリユニット１６の背面側端部５８Ｂの下部が底壁４４に沿って移動し、ビルバリユニット１６を押し込むにつれてビルバリ用正面開口部５０の上下方向の寸法によりビルバリユニット１６の姿勢が規制され、ビルバリユニット１６の傾斜状態の傾斜角度は次第に緩やかになっていく。
この場合、傾斜用開口部７２を設けていないと、ビルバリユニット１６をビルバリ用収容部３６に収容する手前の状態でビルバリユニット１６の正面側端部５８Ａがロック用フック４８０８および筒状壁部４８０６に干渉するので、ビルバリユニット１６をビルバリ用収容部３６に収容することができなくなる。
本実施の形態では、傾斜用開口部７２を設けているため、ビルバリユニット１６の背面側端部５８Ｂが傾斜用開口部７２に至ると、背面側端部５８Ｂがビルバリ用収容部３６の下方に突出し、正面側端部５８Ａがロック用フック４８０８および筒状壁部４８０６に干渉しないビルバリユニット１６の傾斜状態を維持した状態でビルバリユニット１６を押し込むことができる。
【００２５】
やがて、ビルバリユニット１６の背面側端部５８Ｂが、ビルバリ用正面開口部５０から離れた傾斜用開口部７２の奥端部に到達した状態になると、図１２に示すように、正面側端部５８Ａは筒状壁部４８０６を乗り越えて筒状壁部４８０６よりもビルバリ用収容部３６側に移動する。
このように正面側端部５８Ａが筒状壁部４８０６よりもビルバリ用収容部３６側に移動したならば、ビルバリユニット１６の傾斜状態を解除して、ビルバリユニット１６を底壁４４上に載せられた水平状態する。その後、ビルバリユニット１６をビルバリ用収容部３６に押し込むことができる。
【００２６】
本実施の形態では、図１２に示すように、ビルバリ用正面開口部５０から離れた傾斜用開口部７２の端部に傾斜壁７４を設けているので、正面側端部５８Ａが筒状壁部４８０６を乗り越えた状態において、背面側端部５８Ｂの下部が傾斜壁７４に当接する。
この状態でビルバリユニット１６を押し込むと、背面側端部５８Ｂの下部が傾斜壁７４に案内されて傾斜壁７４に接続する底壁４４へと移動して、ビルバリユニット１６は底壁４４と平行な姿勢となる。すなわち、ビルバリユニット１６を押し込んでいくと、背面側端部５８Ｂの下部が傾斜壁７４に案内されて自動的に底壁４４と平行な姿勢になり、ビルバリユニット１６をビルバリ用収容部３６に簡単に収容する上で有利となっている。
さらにビルバリユニット１６を押し込むと、ビルバリ側コネクタ６８が筐体側コネクタ７０に接続され、ビルバリユニット１６がビルバリ用収容部３６に収容される。
【００２７】
ビルバリユニット１６をビルバリ用収容部３６から取り出す場合は、図１３に示すように、ビルバリ用扉４８を開く。
次いで、図１４に示すように、ビルバリユニット１６の正面側端部５８Ａがビルバリ用扉４８の筒状壁部４８０６に当接するまでビルバリユニット１６を引き出す。
次いで、図１５に示すように、ビルバリユニット１６の正面側端部５８Ａをビルバリ用扉４８の筒状壁部４８０６の先端よりも上方に持ち上げて、ビルバリユニット１６の背面側端部５８Ｂを傾斜用開口部７２からビルバリ用収容部３６の下方に突出させて、正面側端部５８Ａに対して背面側端部５８Ｂが下方に変位したビルバリユニット１６の傾斜状態を形成する。
次いで、図１６に示すように、このような傾斜状態を維持しつつビルバリユニット１６を斜め上方に向かって移動させ、ビルバリ用収容部３６からビルバリユニット１６を抜き出す。
【００２８】
本実施の形態によれば、次のような作用効果が奏される。
ビルバリ用扉４８を開くと、図１０に示すように、扉本体４８０２は水平に延在するものの、ビルバリ用正面開口部５０から離れた扉本体４８０２の背面にロック用フック４８０８および筒状壁部４８０６が上方に突出している。
このようにロック用フック４８０８および筒状壁部４８０６が扉本体４８０２の背面から上方に突出していることから、ビルバリ用正面開口部５０からビルバリ用収容部３６にビルバリユニット１６を挿脱するには、ビルバリ用正面開口部５０およびビルバリ用収容部３６の上下方向の寸法をビルバリユニットの上下方向の寸法に比べて充分に大きな値に設定する必要がある。
本実施の形態では、ビルバリ用収容部３６の底壁４４に、ビルバリユニット１６の背面側端部５８Ｂをビルバリ用収容部３６の下方に突出させ、ビルバリユニット１６の傾斜状態を許容する傾斜用開口部７２が設けられている。
【００２９】
したがって上述のように、ビルバリユニット１６をビルバリ用収容部３６に挿脱する際に、傾斜用開口部７２を介してビルバリユニット１６の傾斜状態を許容することによって、ビルバリ用正面開口部５０およびビルバリ用収容部３６の上下方向の寸法がビルバリユニット１６の上下方向の寸法に対して余裕が無い場合であっても、ビルバリユニット１６をビルバリ用正面開口部５０からビルバリ用収容部３６に簡単に挿脱することができる。
そのため、ビルバリ用正面開口部５０およびビルバリ用収容部３６の上下方向の寸法を最小限に設定できる。
したがって、限られた筐体１２の上下方向の寸法内において、ビルバリユニット１６以外の様々な装置の収容スペース、配置スペースを大きく確保でき、筐体１２の内部に様々な装置を収容し遊技媒体貸出機１０の高機能化を図る上で有利となる。
【００３０】
また、本実施の形態では、ビルバリ用正面開口部５０から離れた傾斜用開口部７２の端部の箇所に、ビルバリ用正面開口部５０に近づくにつれて底壁４４または上壁から離れる傾斜の傾斜壁７４が設けられている。
したがって、ビルバリユニット１６をビルバリ用収容部３６に押し込んで収容する場合、いったん傾斜用開口部７２からビルバリユニット１６の背面側端部５８Ｂが下方に突出した状態となっても、背面側端部５８Ｂが傾斜壁７４によって案内されるため、ビルバリユニット１６をビルバリ用収容部３６に収容する作業を円滑に行なう上で有利となる。
【００３１】
また、本実施の形態では、ビルバリ用正面開口部５０を開閉するビルバリ用扉４８がその下端を支点として揺動可能に設けられ、傾斜用開口部７２は底壁４４に設けられている。
したがって、ビルバリ用扉４８の背面に筒状壁部４８０６のような突起物が形成されている場合であっても、傾斜用開口部７２を介してビルバリユニット１６の傾斜状態を許容することで、ビルバリユニット１６と突起物との干渉を確実に防ぐことができ、ビルバリユニット１６のビルバリ用収容部３６への収容作業、ビルバリ用収容部３６からの取り出し作業を円滑に行なう上で有利となる。
【００３２】
また、従来は、筐体１２の天板１４０６を遊技島の支持フレームに取り付けるため、天板１４０６の下方からねじをねじ挿通孔４６０２を介して遊技島の支持フレームに締結していた。この際、天板１４０６とビルバリ用収容部３６の底壁４４との間にはビルバリユニット１６を収容する狭いスペースしか無く、このスペースに、インパクトドライバなどの工具を挿入することが難しい。
そのため、従来は、例えば、インパクトドライバの先部にＬ字状のアングルヘッドを装着し、アングルヘッドおよびインパクトドライバの先部をビルバリ用収容部３６に差し込み、ねじの軸線に対してインパクトドライバの中心軸が交差した状態で作業を行なわざるを得ず、作業性が良いものとはいえなかった。
これに対して、本実施の形態では、平面視した場合、傾斜用開口部７２の開口範囲内に取り付け片４６のねじ挿通孔４６０２が位置している。
したがって、アングルヘッドを用いることなく、傾斜用開口部７２の下方からインパクトドライバの先部を上方に向けて簡単に挿入することができ、その状態でねじをねじ挿通孔４６０２を介して遊技島の支持フレームに締結でき、筐体１２を支持フレームに取り付ける作業の効率化を図る上で有利となる。
【００３３】
なお、本実施の形態では、ビルバリ用収容部３６が筐体１２の最上位に位置している場合について説明したが、ビルバリ用収容部３６の位置は筐体１２の最上位に限定されない。
また、本実施の形態では、傾斜開口部７２をビルバリ用収容部３６の底部を構成する底壁４４に形成した場合について説明したが、傾斜開口部７２は、ビルバリ用収容部３６の上部を構成する上壁に形成してもよく、あるいは、底壁４４と上壁の双方に形成してもよい。
この場合、底壁４４に形成した傾斜開口部７２を利用すると、正面側端部５８Ａが背面側端部５８Ｂよりも高くなるビルバリユニット１６の傾斜状態となり、上壁に形成した傾斜開口部７２を利用すると、正面側端部５８Ａが背面側端部５８Ｂよりも低くなるビルバリユニット１６の傾斜状態となる。
また、上壁に形成した傾斜開口部７２に傾斜壁７４を設ける場合、傾斜壁７４は、ビルバリ用正面開口部５０に近づくにつれてビルバリ用収容部３６の上方へ離れる傾斜となる。
また、傾斜開口部７２は、支点がビルバリ用扉４８の上端に位置する場合にはビルバリ用収容部３６の上壁に設けられ、前記支点がビルバリ用扉４８の下端に位置する場合には底壁４４に設けられることになる。
【符号の説明】
【００３４】
１０  遊技媒体貸出装置
１２  筐体
１４０６  天板（上壁）
１６  ビルバリユニット
３６  ビルバリ用収容部
４４  底壁
４６  取り付け片
４６０２  ねじ挿通孔
４８  ビルバリ用扉
５０  ビルバリ用正面開口部
５４  ヒンジ
５４０６  支軸
５８  ビルバリ本体部
５８Ａ  正面側端部
５８Ｂ  背面側端部
７２  傾斜用開口部
７４  傾斜壁
【図１】
2018042874.tif 000003
【図２】
2018042874.tif 000004
【図３】
2018042874.tif 000005
【図４】
2018042874.tif 000006
【図５】
2018042874.tif 000007
【図６】
2018042874.tif 000008
【図７】
2018042874.tif 000009
【図８】
2018042874.tif 000010
【図９】
2018042874.tif 000011
【図１０】
2018042874.tif 000012
【図１１】
2018042874.tif 000013
【図１２】
2018042874.tif 000014
【図１３】
2018042874.tif 000015
【図１４】
2018042874.tif 000016
【図１５】
2018042874.tif 000017
【図１６】
2018042874.tif 000018